(57)【要約】【課題】アラーム時刻になると電源がオフ状態からオン状態になってアラーム報知がなされる機能を備えると共に、特定施設内ではアラーム時刻になっても自動的に電源がオン状態になることを防止する。【解決手段】時計部１１で計時されている現在時刻がアラーム時刻と一致すると電源オフ状態であっても電源がオン状態に設定されてアラーム報知がなされる。一方、非接触ＩＣ検出部１３は、携帯電話装置１のユーザが病院などの特定の施設に入場したことを検出しており、この検出がなされると現在時刻がアラーム時刻と一致しても電源のオフ状態が継続しアラーム報知はなされない。【選択図】図１
2011035875.tif 000002
【特許請求の範囲】
【請求項１】
予め設定されているアラーム時刻に電源オフ状態の電源を電源オン状態にしてアラーム報知する機能を有する端末装置であって、
特定施設への入場を検出した際に前記端末装置の電源をオフ状態にし、前記特定施設からの退場を検出した際に前記電源をオン状態にする電源管理手段と、
操作子の操作により前記端末装置の電源をオン状態或いはオフ状態に設定する電源操作手段と、
前記端末装置の前記電源オフ状態が前記電源管理手段により行われたのか或いは前記電源操作手段により行われたのかを判別する判別手段と、
この判別手段により前記電源オフ状態が前記電源操作手段により行われたと判別された場合には、前記アラーム時刻に前記電源オフ状態の電源を電源オン状態にしてアラーム報知する機能を有効にし、前記判別手段により前記電源オフ状態が前記電源管理手段により行われたと判別された場合には、前記アラーム時刻に前記電源オフ状態の電源を電源オン状態にしてアラーム報知する機能を無効にする制御を行なう制御手段と、
を備えることを特徴とする端末装置。
【請求項２】
更に、前記アラーム時刻にアラーム報知するか否かを設定するアラーム報知設定手段を備え、このアラーム報知設定手段によってアラーム報知しないことが設定されていた場合には、前記制御手段によって前記アラーム報知する機能が有効にされてもアラーム報知は行わないことを特徴とする請求項１に記載の端末装置。
【請求項３】
更に、前記アラーム報知設定手段によってアラーム報知することが設定されている状態で前記電源管理手段によって電源がオフ状態にされた場合には前記アラーム報知設定手段をアラーム報知しない状態に設定すると共に、前記電源管理手段によって前記電源がオン状態にされた場合には前記アラーム報知設定手段をアラーム報知する状態に復帰させる復帰手段を備えていることを特徴とする請求項１に記載の端末装置。
【請求項４】
前記電源管理手段によって前記端末装置の電源がオフ状態にされている間は、前記電源操作手段による電源のオン状態への設定操作を無効にする操作無効手段を備えていることを特徴とする請求項１に記載の端末装置。
【請求項５】
前記特定施設への入場の検出或いは前記特定施設からの退場の検出は、非接触ＩＣデバイスを用いて行われることを特徴とする請求項１に記載の端末装置。
【請求項６】
予め設定されているアラーム時刻に電源オフ状態の電源を電源オン状態にしてアラーム報知する機能を有する端末装置であって、
この端末装置の現在位置情報を取得する現在位置情報取得手段と、
この現在位置情報取得手段によって取得された現在位置情報が予め定められた特定の位置であると判別された場合には前記端末装置の電源をオフ状態にし、前記特定の位置ではないと判別された場合には前記端末装置の電源をオン状態にする電源管理手段と、
操作子の操作により前記端末装置の電源をオン状態或いはオフ状態に設定する電源操作手段と、
前記端末装置の前記電源オフ状態が前記電源管理手段により行われたのか或いは前記電源操作手段により行われたのかを判別する判別手段と、
この判別手段により前記電源オフ状態が前記電源操作手段により行われたと判別された場合には、前記アラーム時刻に前記電源オフ状態の電源を電源オン状態にしてアラーム報知する機能を有効にし、前記判別手段により前記電源オフ状態が前記電源管理手段により行われたと判別された場合には、前記アラーム時刻に前記電源オフ状態の電源を電源オン状態にしてアラーム報知する機能を無効にする制御を行なう制御手段と、
を備えることを特徴とする端末装置。
【請求項７】
更に、前記アラーム時刻にアラーム報知するか否かを設定するアラーム報知設定手段を備え、このアラーム報知設定手段によってアラーム報知しないことが設定されていた場合には、前記制御手段によって前記アラーム報知する機能が有効にされてもアラーム報知は行わないことを特徴とする請求項６に記載の端末装置。
【請求項８】
更に、前記アラーム報知設定手段によってアラーム報知することが設定されている状態で前記電源管理手段によって電源がオフ状態にされた場合には前記アラーム報知設定手段をアラーム報知しない状態に設定すると共に、前記電源管理手段によって前記電源がオン状態にされた場合には前記アラーム報知設定手段をアラーム報知する状態に復帰させる復帰手段を備えていることを特徴とする請求項６に記載の端末装置。
【請求項９】
前記電源管理手段によって前記端末装置の電源がオフ状態にされている間は、前記電源操作手段による電源のオン状態への設定操作を無効にする操作無効手段を備えていることを特徴とする請求項６に記載の端末装置。
【請求項１０】
前記現在位置情報取得手段による現在位置情報の取得はグローバル・ポジショニング・システムを用いて行われることを特徴とする請求項６に記載の端末装置。
【請求項１１】
コンピュータに、
予め設定されているアラーム時刻に電源オフ状態の電源を電源オン状態にしてアラーム報知するアラーム報知機能、
特定施設への入場を検出した際に電源をオフ状態にし、前記特定施設からの退場を検出した際に前記電源をオン状態にする電源管理機能、
操作子の操作により電源をオン状態或いはオフ状態に設定する電源操作機能、
前記電源オフ状態が前記電源管理機能により行われたのか或いは前記電源操作機能により行われたのかを判別する判別機能、
この判別機能により前記電源オフ状態が前記電源操作機能により行われたと判別された場合には、前記アラーム時刻に前記電源オフ状態の電源を電源オン状態にしてアラーム報知機能を有効にし、前記判別機能により前記電源オフ状態が前記電源管理機能により行われたと判別された場合には、前記アラーム時刻に前記電源オフ状態の電源を電源オン状態にしてアラーム報知するアラーム報知機能を無効にする制御を行なう制御機能、
を実現させるためのプログラム。
【請求項１２】
コンピュータに、
予め設定されているアラーム時刻に電源オフ状態の電源を電源オン状態にしてアラーム報知するアラーム報知機能、
現在位置情報を取得する現在位置情報取得機能、
この現在位置情報取得機能によって取得された現在位置情報が予め定められた特定の位置であると判別された場合には前記端末装置の電源をオフ状態にし、前記特定の位置ではないと判別された場合には前記端末装置の電源をオン状態にする電源管理機能、
操作子の操作により電源をオン状態或いはオフ状態に設定する電源操作機能、
前記電源オフ状態が前記電源管理機能により行われたのか或いは前記電源操作機能により行われたのかを判別する判別機能、
この判別機能により前記電源オフ状態が前記電源操作機能により行われたと判別された場合には、前記アラーム時刻に前記電源オフ状態の電源を電源オン状態にしてアラーム報知機能を有効にし、前記判別機能により前記電源オフ状態が前記電源管理機能により行われたと判別された場合には、前記アラーム時刻に前記電源オフ状態の電源を電源オン状態にしてアラーム報知するアラーム報知機能を無効にする制御を行なう制御機能、
を実現させるためのプログラム。
【発明の詳細な説明】
【技術分野】
【０００１】
本発明は、アラーム時刻に至ったことを報知するアラーム機能を備えた端末装置及びプログラムに関する。
【背景技術】
【０００２】
従来、携帯電話等の端末装置においては、現在時刻が予め設定した時刻になると報音などによってアラーム報知する、所謂アラーム機能を備えたものが商品化されている。この種のアラーム機能を備えた携帯電話にあっては、携帯電話自体の電源をオフ状態にしておいても、現在時刻がアラーム時刻になると携帯電話の電源が自動的にオン状態に設定されアラーム報知を行わせる様にすることが知られている（例えば、特許文献１参照）。
【０００３】
即ち、アラーム時刻が設定されているにもかかわらず、うっかり携帯電話自体の電源をオフしてしまうとアラーム時刻に至ってもアラーム報知がなされないので、例え電源オフしたとしてもアラーム時刻の検出は常時行わせ、アラーム時刻になると電源を自動的にオンしてアラーム報知がなされる様にしたもので有る。
【０００４】
一方、飛行機への搭乗や病院などの特定の施設においては、携帯電話の電源をオフしておく必要が有ることが知られている。このような場合は、通常携帯電話の所有者が電源スイッチなどを操作して電源をオフすることが行われているが、電源のオフ操作を忘れてしまう人も多い。
【０００５】
そこで、携帯電話に非接触ＩＣデバイスを内蔵させ、特定施設への入退場を非接触ＩＣデバイスを用いて検出し、特定施設に入ったときには携帯電話の電源を自動的にオフさせ、特定施設から出たときには携帯電話の電源を自動的にオンさせる様にすることが考えられている（例えば、特許文献２参照）。
【先行技術文献】
【特許文献】
【０００６】
【特許文献１】特開２０００−２８６９３０号公報
【特許文献２】特開２００４−１５３７８５号公報
【発明の概要】
【発明が解決しようとする課題】
【０００７】
然して、上記特許文献２の様に、特定施設への入場を検出した際に自動的に端末装置の電源をオフするようにした場合であっても、その端末装置のアラーム機能が、上記特許文献１のように、アラーム設定時刻になると自動的に電願が投入されてアラーム報知がなされるように構成されていると、電源をオフしておかなければならない特定施設内でアラーム時刻に自動的に電源がオンしてしまうという問題があった。
【０００８】
そこで、特許文献１に記載の機能を採用せずに電源がオフ状態の時はアラーム機能も無効にしてしまう、即ち、アラーム時刻になってもアラーム報知を一切行わないという仕様にしておけば上述したような特定施設内で端末装置の電源が自動的に投入されてオン状態になってしまうことは防止出来る。
【０００９】
しかしながら、このような電源がオフ状態の時は一切のアラーム報知を行わないという機能は、言い換えれば、アラーム報知を行わせるためには常に電源をオン状態にしておく必要があるということであり、このような仕様だと電池の消耗度が高く電池寿命が短くなってしまう欠点があった。
【００１０】
本発明は上記の課題を解決するためになされたもので、アラーム時刻になると電源がオフ状態からオン状態になってアラーム報知がなされる機能を備えているにもかかわらず、特定施設内ではアラーム時刻になっても自動的に電源がオン状態になることを防止し得る端末装置及びプログラムを提供するものである。
【課題を解決するための手段】
【００１１】
上記の課題を解決するために、本発明の請求項１に記載の端末装置は、予め設定されているアラーム時刻に電源オフ状態の電源を電源オン状態にしてアラーム報知する機能を有する端末装置であって、特定施設への入場を検出した際に前記端末装置の電源をオフ状態にし、前記特定施設からの退場を検出した際に前記電源をオン状態にする電源管理手段と、
操作子の操作により前記端末装置の電源をオン状態或いはオフ状態に設定する電源操作手段と、前記端末装置の前記電源オフ状態が前記電源管理手段により行われたのか或いは前記電源操作手段により行われたのかを判別する判別手段と、この判別手段により前記電源オフ状態が前記電源操作手段により行われたと判別された場合には、前記アラーム時刻に前記電源オフ状態の電源を電源オン状態にしてアラーム報知する機能を有効にし、前記判別手段により前記電源オフ状態が前記電源管理手段により行われたと判別された場合には、前記アラーム時刻に前記電源オフ状態の電源を電源オン状態にしてアラーム報知する機能を無効にする制御を行なう制御手段とを備えることを特徴とする。
【００１２】
又、請求項２の発明は、更に、前記アラーム時刻にアラーム報知するか否かを設定するアラーム報知設定手段を備え、このアラーム報知設定手段によってアラーム報知しないことが設定されていた場合には、前記制御手段によって前記アラーム報知する機能が有効にされてもアラーム報知は行わないことを特徴とする。
【００１３】
更に、請求項３の発明は、更に、前記アラーム報知設定手段によってアラーム報知することが設定されている状態で前記電源管理手段によって電源がオフ状態にされた場合には前記アラーム報知設定手段をアラーム報知しない状態に設定すると共に、前記電源管理手段によって前記電源がオン状態にされた場合には前記アラーム報知設定手段をアラーム報知する状態に復帰させる復帰手段を備えていることを特徴とする。
【００１４】
更に又、請求項４の発明は、前記電源管理手段によって前記端末装置の電源がオフ状態にされている間は、前記電源操作手段による電源のオン状態への設定操作を無効にする操作無効手段を備えていることを特徴とする。
【００１５】
又、請求項５の発明は、前記特定施設への入場の検出或いは前記特定施設からの退場の検出は、非接触ＩＣデバイスを用いて行われることを特徴とする。
【００１６】
請求項６に記載の端末装置は、予め設定されているアラーム時刻に電源オフ状態の電源を電源オン状態にしてアラーム報知する機能を有する端末装置であって、この端末装置の現在位置情報を取得する現在位置情報取得手段と、この現在位置情報取得手段によって取得された現在位置情報が予め定められた特定の位置であると判別された場合には前記端末装置の電源をオフ状態にし、前記特定の位置ではないと判別された場合には前記端末装置の電源をオン状態にする電源管理手段と、操作子の操作により前記端末装置の電源をオン状態或いはオフ状態に設定する電源操作手段と、前記端末装置の前記電源オフ状態が前記電源管理手段により行われたのか或いは前記電源操作手段により行われたのかを判別する判別手段と、この判別手段により前記電源オフ状態が前記電源操作手段により行われたと判別された場合には、前記アラーム時刻に前記電源オフ状態の電源を電源オン状態にしてアラーム報知する機能を有効にし、前記判別手段により前記電源オフ状態が前記電源管理手段により行われたと判別された場合には、前記アラーム時刻に前記電源オフ状態の電源を電源オン状態にしてアラーム報知する機能を無効にする制御を行なう制御手段とを備えることを特徴とする。
【００１７】
又、請求項７の発明は、更に、前記アラーム時刻にアラーム報知するか否かを設定するアラーム報知設定手段を備え、このアラーム報知設定手段によってアラーム報知しないことが設定されていた場合には、前記制御手段によって前記アラーム報知する機能が有効にされてもアラーム報知は行わないことを特徴とする。
【００１８】
更に、請求項８の発明は、更に、前記アラーム報知設定手段によってアラーム報知することが設定されている状態で前記電源管理手段によって電源がオフ状態にされた場合には前記アラーム報知設定手段をアラーム報知しない状態に設定すると共に、前記電源管理手段によって前記電源がオン状態にされた場合には前記アラーム報知設定手段をアラーム報知する状態に復帰させる復帰手段を備えていることを特徴とする。
【００１９】
更に又、請求項９の発明は、前記電源管理手段によって前記端末装置の電源がオフ状態にされている間は、前記電源操作手段による電源のオン状態への設定操作を無効にする操作無効手段を備えていることを特徴とする。
【００２０】
又、請求項１０の発明は、前記現在位置情報取得手段による現在位置情報の取得はグローバル・ポジショニング・システムを用いて行われることを特徴とする。
【００２１】
請求項１１の発明は、コンピュータに、予め設定されているアラーム時刻に電源オフ状態の電源を電源オン状態にしてアラーム報知するアラーム報知機能、特定施設への入場を検出した際に電源をオフ状態にし、前記特定施設からの退場を検出した際に前記電源をオン状態にする電源管理機能、操作子の操作により電源をオン状態或いはオフ状態に設定する電源操作機能、前記電源オフ状態が前記電源管理機能により行われたのか或いは前記電源操作機能により行われたのかを判別する判別機能、この判別機能により前記電源オフ状態が前記電源操作機能により行われたと判別された場合には、前記アラーム時刻に前記電源オフ状態の電源を電源オン状態にしてアラーム報知機能を有効にし、前記判別機能により前記電源オフ状態が前記電源管理機能により行われたと判別された場合には、前記アラーム時刻に前記電源オフ状態の電源を電源オン状態にしてアラーム報知するアラーム報知機能を無効にする制御を行なう制御機能を実現させるためのプログラムである。
【００２２】
請求項１２の発明は、コンピュータに、予め設定されているアラーム時刻に電源オフ状態の電源を電源オン状態にしてアラーム報知するアラーム報知機能、現在位置情報を取得する現在位置情報取得機能、この現在位置情報取得機能によって取得された現在位置情報が予め定められた特定の位置であると判別された場合には前記端末装置の電源をオフ状態にし、前記特定の位置ではないと判別された場合には前記端末装置の電源をオン状態にする電源管理機能、操作子の操作により電源をオン状態或いはオフ状態に設定する電源操作機能、前記電源オフ状態が前記電源管理機能により行われたのか或いは前記電源操作機能により行われたのかを判別する判別機能、この判別機能により前記電源オフ状態が前記電源操作機能により行われたと判別された場合には、前記アラーム時刻に前記電源オフ状態の電源を電源オン状態にしてアラーム報知機能を有効にし、前記判別機能により前記電源オフ状態が前記電源管理機能により行われたと判別された場合には、前記アラーム時刻に前記電源オフ状態の電源を電源オン状態にしてアラーム報知するアラーム報知機能を無効にする制御を行なう制御機能を実現させるためのプログラムである。
【発明の効果】
【００２３】
本発明によれば、アラーム時刻になると電源がオフ状態からオン状態になってアラーム報知がなされる機能を備えているにもかかわらず、特定施設内ではアラーム時刻になっても自動的に電源がオン状態になることを防止することができる。
【図面の簡単な説明】
【００２４】
【図１】本発明の携帯電話装置１の構成を示した回路ブロック図。
【図２】図１の記憶部５に設けられた各フラグ記憶部及び特定位置記憶部の内容の説明図
【図３】図１の携帯電話装置１のメイン動作を示すフローチャート図。
【図４】同じく携帯電話装置１の電源キー操作割り込み処理のフローチャート図。
【図５】同じく携帯電話装置１の非接触ＩＣ検出割り込み処理のフローチャート図。
【図６】同じく携帯電話装置１の現在位置取得割り込み処理のフローチャート図。
【図７】同じく携帯電話装置１のアラーム割り込み処理のフローチャート図。
【発明を実施するための形態】
【００２５】
以下、本発明の実施形態を、図面を参照して詳細に説明する。
【００２６】
第１実施形態
図１は、本発明の携帯端末の一例である携帯電話装置１の回路ブロック図である。図において、制御部（ＣＰＵ）２には、各種のプログラムが記憶されている図示しないＲＯＭ（リード・オンリ・メモリ）が設けられており、制御部２は、上記ROMに記憶されているプログラムを動作させることにより携帯電話装置１の全体の動作を制御する。
【００２７】
即ち、ROMには、後述するアラーム報知機能関連の各フローチャートを実行させるためのプログラムや通話機能、電子メール機能、インターネット接続機能、アドレス帳機能、スケジュール機能等、各種の機能のアプリケーションを実行させるためのアプリケーションプログラムが記憶されており、制御部２は、上記ＲＯＭに記憶されたプログラムに基づいてこの携帯電話装置１の全体の動作を制御する。
【００２８】
表示部３は、例えば、ドットマトリクスタイプの液晶表示装置あるいはＥＬ表示装置から構成され、電話装置として必要な情報（相手方の電話番号、電波受信状態、電池残量等の情報）を表示するとともに、電子メールやＷｅｂサイトの内容表示を行う。又、アドレス帳機能においてはアドレス帳情報（氏名、住所及び電話番号などのデータ）を表示する。
【００２９】
更に、アラーム報知機能、即ち、スケジュール機能で現在時刻がスケジュール時刻に至った時或いは現在時刻が予め設定されたアラーム時刻に至った時に夫々報音などで報知する機能においては、設定されるスケジュール時刻情報やアラーム時刻情報等が表示され、又、そのアラーム時刻に報知するか否かのオンオフマーク等が表示される。
【００３０】
操作部４は、この携帯電話装置１に設けられた操作キーであり、詳細は図示していないが、電源のオン・オフを行う電源キー、アラーム報知のオン・オフを設定するアラーム報知設定キー、数値情報及び文字情報を入力する数値文字入力キー、各種機能（アプリケーション）の起動及び終了を選択する各種のアプリケーションキー、通話のオンフックキー及びオフフックキー等各機能を動作させるためのキーを備えている。
【００３１】
記憶部５は、各種のアプリケーションに関連する情報（データ）を記憶するもので、具体的に図示していないが、例えば、アドレス帳機能のアドレス帳情報を記憶するアドレス帳情報記憶部、スケジュール情報を記憶するスケジュール情報記憶部、電子メール機能の送受信メール情報を記憶する電子メール情報記憶部、インターネット機能のＷｅｂサイトのＵＲＬ情報などを記憶するＷｅｂ情報記憶部などの記憶領域が設けられている。
【００３２】
また、この記憶部５には、詳細は後述するが、携帯電話装置１の所有者が飛行機や病院等の特定の施設に入場しているか否かを記憶する入場フラグ記憶部５Ａ、現在時刻がアラーム報知時刻に至った際に報知を行うか否かを記憶するアラームフラグ記憶部５Ｂ、アラームフラグが変更された際にそれ迄のアラームフラグを記憶する前回アラームフラグ記憶部５Ｃが設けられており、又、予め定められた特定の位置情報を記憶する特定位置情報記憶部５Ｄも設けられている。
【００３３】
通信部（無線送受信部）６は、電話の通話機能としての動作時にはアンテナ７から取り込んだ音声の無線信号を受信ベースバンド信号に復調した後に、電話部（音声信号処理部）８を介して受話スピーカ９から音声出力させる。また、送話マイク１０から入力された音声信号を電話部８で処理させた後に通信部６に送り、通信部６では音声信号を送信ベースバンド信号に符号化したのちにアンテナ７から送信出力させる。
【００３４】
また、電子メール機能、インターネット接続機能等の動作時には、アンテナ７及び通信部６を介して電子メールの送受信およびＷｅｂサイトの閲覧が可能であり、電子メールの送受信情報及びＷｅｂサイトの閲覧情報は表示部３に送られて表示出力される。
【００３５】
時計部１１は、詳細は図示していないが、日付や時分秒などの現在時刻情報を計時する計時手段やアラーム時刻情報を記憶するアラーム時刻情報記憶手段を備え、上記計時手段で得られる現在時刻情報や上記アラーム時刻情報記憶手段に記憶されているアラーム時刻情報は、制御部２を介して表示部３に送られて表示される。
【００３６】
報知部１２は、上述した受話スピーカ９よりも大音量のスピーカ、バイブレータ或いは発光ダイオードなどの発光表示体から構成され、上記計時手段で得られる現在時刻情報が上記アラーム時刻情報記憶手段に記憶されているアラーム時刻情報に一致した際に報音、振動或いは発光体の発光によってその旨を報知する。
【００３７】
非接触ＩＣ検出部１３は、電磁誘導などの無線手段によって外部のリーダライタ装置（図示せず）と信号の授受を行う、所謂ＲＦＩＤタグと呼ばれるもので、飛行機の搭乗口や病院の入り口など特定の施設の入退場口に配置されているリーダライタ装置と信号の授受を行って特定の施設に入場したこと或いは退場したことを検出する。
【００３８】
位置取得部１４は、振動センサや加速度センサなどを備えて携帯電話装置１の移動を検出するとともに、ＧＰＳ（グローバル・ポジショニング・システム）受信機を備えていて、この携帯電話装置１の現在位置情報を得て制御部２に送出する回路部である。
【００３９】
電源部１５は、図示していない充電可能な二次電池と、この二次電池の電池電圧が低下した際に各回路部にバックアップ電圧を供給するバックアップ電池とからなり、上述した各回路部に駆動電圧を供給するものである。
【００４０】
尚、この電源部１５の駆動電圧は、電源オン状態の時は上述した各部に常に供給されているが、操作部４の電源キーが操作されることによって、或いは後述する如く特定の施設に入場することによって電源オフ状態となった際には、予め定められた特定の回路部にしか供給されないように構成されている。
【００４１】
即ち、電源オフ状態の時、電源部１５の駆動電圧は、時計部１１の現在時刻の計時動作及び後述する図４乃至図７のフローチャートに示す各処理動作を行わせるためにだけ各部に供給され、それ以外の回路部には供給されないように構成されている。
【００４２】
図２の（ａ）乃至（ｃ）は、記憶部５に記憶されている各フラグの記憶部とその内容を説明する図である。然して、図２の（ａ）に示す入場フラグ記憶部５Ａには値「０」若しくは値「１」が記憶されるもので、その値が「０」の時は、特定の施設に入場していない或いは特定の施設の中にはいないことを示しており、「１」の時には特定の施設に入場中或いは特定の施設の中にいることを示している。
【００４３】
図２の（ｂ）に示すアラームフラグ記憶部５Ｂは、値が「０」の時は、現在時刻がアラーム報知時刻に一致しても報知しないことを示しており、値が「１」の時には報知することを示している。
【００４４】
図２の（ｃ）に示す前回アラームフラグ記憶部５Ｃは、値が「０」の時は、アラーム報知フラグが無効（値「０」）に設定された際に、それまでのアラーム報知フラグの値が「０」で有ったことを示しており、値が「１」の時には、アラーム報知フラグが無効（値「０」）に設定された際に、それまでのアラーム報知フラグの値が「１」で有ったことを示している。
【００４５】
図２（ｄ）の特定位置情報記憶部５Ｄには、特定の施設における複数の入退場口夫々の緯度及び経度情報を記憶するものであり、例えば、病院の入退場口が２カ所有る場合、一方の入退場口の経度情報ｘ１及び緯度情報ｙ１を記憶すると共に、他方の入退場口の経度情報ｘ２及び緯度情報ｙ２も記憶する。
【００４６】
然して、この特定位置情報記憶部５Ｄへの位置情報の記憶は、予め病院など携帯電話の電源をオン状態にしてはいけない場所を調べておき、その場所の入退場口の緯度及び経度情報を操作部４から入力することによって行われる。
【００４７】
次に、上記のごとく構成された携帯電話装置１の動作につき、図３乃至図７のフローチャートを参照して説明する。
【００４８】
図３は、携帯電話装置１のメイン動作のフローチャートであり、操作部４の電源キーが操作されて電源オン状態になると、ステップＳ１において各種初期設定がなされると共に入場フラグ記憶部５Ａの値が「０」に設定され、次のステップＳ２において、電話機能の待ち受け状態とされる。
【００４９】
次のステップＳ３においては、電話の着信があるかどうかが判断され、着信があった場合には報音などで着信報知を行なわせると共に、次のステップＳ４で、オフフック操作がなされたか否かを判断する。
【００５０】
ステップＳ４でオフフック操作がなされたことが判断されるまでは上位ステップＳ３及びＳ４を繰り返すが、オフフック操作がなされた場合にはステップＳ５で通話処理を行ない発信者との通話を可能な状態に設定すると共に、次のステップＳ６でオンフック操作がなされたか否かを判断する。
【００５１】
ステップＳ６でオンフック操作がなされたと判断されるまでは発信者との通話が可能な状態が続くが、ステップＳ６でオンフック操作がなされたと判断されるとステップＳ７に進み、通話の切断処理がなされ、ステップＳ３に戻る。
【００５２】
ステップＳ３において、着信がなかった場合にはステップＳ８に進み、アラーム報知のオン・オフ設定操作がなされたか否かが判断される。即ち、操作部４のアラーム操作設定キーが操作されたか否かが判断されるもので、アラーム操作設定キーが操作されたと判断されるとステップＳ９に進み、アラームフラグ記憶部５Ｂのアラームフラグの値が「１」に設定されているか否かが判断される。
【００５３】
ステップＳ９において、アラームフラグの値が「１」に設定されていた場合にはステップＳ１０に進み、アラームフラグの値を「０」にする。又、ステップＳ９において、アラームフラグの値が「１」で無かった場合にはステップＳ１１に進み、アラームフラグの値を「１」にする。
【００５４】
尚、上述した如く表示部３には、アラーム時刻に報知するか否かのオンオフマーク等が表示されようになっており、このオンオフマークは、アラームフラグの値が「１」の時にはオンマークが表示されてアラーム時刻に報知がなされることを知らせ、アラームフラグの値が「０」の時にはオフマークが表示されてアラーム時刻に至っても報知がなされないことを知らせるようになっている。
【００５５】
ステップＳ８において、アラーム報知のオン・オフ設定操作がなされていない場合はステップＳ１２に進み、アラーム報知のオン・オフ設定以外のキー操作がなされたか否かが判断され、何らかのキー操作がなされたことが判断されるとステップＳ１３において操作されたキーに対応した処理がなされる。
【００５６】
上記図３に示したメイン動作のフローチャートは、ステップＳ１で説明したように電源オン状態とされたときのフローチャートである。これに対して、図４乃至図７に示すフローチャートは、携帯電話装置１において、電源オン状態及びオフ状態のいずれの状態であっても、常に予め定められたタイミングで割り込み処理されるフローチャートを示している。
【００５７】
図４は、操作部４の電源キー操作の割り込み処理である。即ちステップＳ２０では電源キーの操作の有無が判断され、操作が無かった場合には直ちにこのフローを終えるが、操作が有りの場合にはステップＳ２１に進み、その時の電源がオン状態であるか否かが判断される。
【００５８】
ステップＳ２１で電源オン状態であったと判断された場合は、電源オフ状態にするために電源キーが操作されたものとしてステップＳ２２では電源オフ状態に設定する。
【００５９】
一方、ステップＳ２１において電源がオン状態ではないと判断された場合には、即ち、電源オフ状態であると判断された場合には、電源をオン状態にするために電源キーが操作されたと判断して電源をオン状態にするが、この場合、無条件に電源をオン状態にするのではなく、先ずステップＳ２３で入場フラグ記憶部５Ａの入場フラグが「１」であるか否かを判断する。
【００６０】
入場フラグ記憶部５Ａの入場フラグを「１」若しくは「０」に設定する処理に関しては後述する図５で説明するが、入場フラグが「１」であった場合には、現在特定の施設の中にいるということなので、そのまま、即ち、電源キーの操作を無効にして電源オフ状態のままフローを終了し、入場フラグが「０」であった場合のみステップＳ２４に進んで電源をオン状態にする。
【００６１】
図５は、非接触ＩＣ検出部１３と特定の施設の入退場口などに設定された外部のリーダライタ装置との送受信に基づく非接触ＩＣ検出処理のフローチャートである。
【００６２】
先ずステップＳ３１では、非接触ＩＣ検出部１３による検出があったか否か、即ち、外部のリーダライタ装置との間で、特定の施設に入場若しくは退場するにおいて予め定められた情報の送受信が検出されたか否かが判断される。
【００６３】
そのような検出がなされなかった場合は直ちにこのフローは終了となるが、検出があった場合にはステップＳ３２に進み電源オン状態であるか否かが判断される。後述するフローで説明するが、特定の施設に入場した場合、電源はオフ状態に設定されるようになっている。
【００６４】
従って、上記ステップＳ３２で電源オン状態が検出されたな場合は、ステップＳ３１での非接触ＩＣ検出部１３による検出は、特定の施設に入場しようとして検出がなされたものと判断し、ステップＳ３３では入場フラグの値を入場中であることを示す値「１」に設定する。
【００６５】
次のステップＳ３４では、アラームフラグの値が、アラーム時刻に報知を行う「１」に設定されているか否かが判断される。アラームフラグの値が「１」に設定されている場合はステップＳ３５に進み、前回アラームフラグ記憶部５Ｃに値「１」を設定し、次のステップＳ３６でアラームフラグの値を「０」に設定する。
【００６６】
即ち、特定の施設に入場した場合は、アラームフラグが「１」でアラーム時刻に報知するように設定されていても、ステップＳ３６でアラームフラグを「０」に変更して報知が行われないようにするが、その前のステップＳ３５で、特定の施設に入場する前はアラームフラグが「１」で有ったことを前回アラームフラグ記憶部５Ｃに記憶させておくものである。
【００６７】
そして、ステップＳ３６でアラームフラグを「０」に設定した後はステップＳ３７に進み電源をオフ状態に設定してこのフローを終える。
【００６８】
上記ステップＳ３４で、アラームフラグの値がアラーム時刻に報知を行う「１」に設定されていない場合、即ち、アラームフラグの値が「０」に設定されている場合はステップＳ３８に進み、前回アラームフラグ記憶部５Ｃに値「０」を設定し、次のステップＳ３７に進んで電源をオフ状態に設定する。
【００６９】
一方、ステップＳ３２で電源オン状態ではないと判断された場合、即ち、ステップＳ３１で非接触ＩＣ検出がなされた時の電源状態がオフ状態で有った場合は、特定の施設の入退場口からの退場と判断する。
【００７０】
即ち、特定の施設に入場した場合には、ステップＳ３７で必ず電源オフ状態となる。従って、ステップＳ３２で電源がオン状態でなくオフ状態であった場合は、特定の施設からの退場と見なし、ステップＳ３９以下の退場時の処理に進む。
【００７１】
ステップＳ３９では電源をオン状態に設定し、次のステップＳ４０で入場フラグを「０」に設定する。次のステップＳ４１では、ステップＳ３５又はステップＳ３８で記憶された前回アラームフラグが「１」なのか否かを判断し、「１」の場合はステップＳ４２でアラームフラグを「１」に設定し、「０」の場合はそのまま処理を終える。
【００７２】
これによって、アラームフラグは特定の施設に入場する前と同じ値に設定される。
【００７３】
図６は、位置取得部１４によって取得される現在位置情報に基づく現在位置取得割り込み処理のフローチャートである。
【００７４】
ステップＳ５１は、携帯電話装置１に位置移動があったか否かを振動センサや加速度センサで検出し、位置移動があった場合にはステップＳ５２に進んでＧＰＳ受信機によって現在位置情報を得る。
【００７５】
次のステップＳ５３では、ステップＳ５２で得られた現在位置情報が図２の（ｄ）に示した特定位置情報記憶部５Ｄに記憶されている複数の位置情報と一致するか否か、即ち、現在位置が特定位置であるか否かを判断する。
【００７６】
そして、現在位置が特定位置であった場合には、ステップＳ５４からステップＳ６４の処理に進むが、このステップＳ５４からステップＳ６４の処理は、図５のステップＳ３２からステップＳ４２の処理と全く同一の処理である。
【００７７】
従って、各ステップの詳細な説明は省略するが、概略的に説明すると、ステップＳ５３で、現在位置が特定位置であることが検出された後のステップＳ５４からステップＳ６０に進むフローでは、特定の施設に入場したものと見なして入場フラグの値を「１」に設定し、前回アラームフラグの値を「１」若しくは「０」に設定し、アラームフラグの値を「０」に設定して電源をオフ状態にするものである。
【００７８】
又、ステップＳ６１からステップＳ６４に進むフローでは、特定の施設から退場したものと見なして電源をオン状態にすると共に、入場フラグの値を「０」に設定し、前回アラームフラグの値が「１」だった場合は、アラームフラグの値を「１」に戻すものである。
【００７９】
図７は、時計部１１で得られる現在時刻がアラーム設定時刻と同じ時刻に至ったか否かを検出しアラーム報知するアラーム割り込み処理である。
【００８０】
先ずステップＳ７０においては、現在時刻情報がアラーム設定時刻情報と一致するか否かが判断され、一致しない場合にはそのままフローを終了するが、一致する場合にはステップＳ７１に進み、電源がオン状態であるか否かが判断される。
【００８１】
図５のステップＳ３２からＳ３８、図６のステップＳ５４からＳ６０で説明したように、特定の施設に入場した場合は、ステップＳ３７及びステップＳ５９で電源は必ずオフ状態に設定される。
【００８２】
従って、ステップＳ７１で電源がオン状態であると判断されてステップＳ７２に進む場合は、特定の施設にいない場合である。この場合には、ステップＳ７２でアラームフラグが「１」であるか否かを判断し、「１」の場合はステップＳ７３に進んで報音によるアラーム報知を行い、「１」でない場合は報音せずに処理を終える。
【００８３】
一方、ステップＳ７１で電源がオン状態でなくオフ状態であった場合はステップＳ７４に進む。電源のオフ状態は、図４のステップＳ２２で示したように、電源キーの操作によって設定されるケースと、図５のステップＳ３７、図６のステップＳ５９で示したように特定の施設に入場すると設定されるケースとがある。
【００８４】
図７のステップＳ７４では、入場フラグの値が「０」であるか今かを判断する。入場フラグの値が「０」であった場合は、特定の施設に入場中ではないので、電源キーの操作によって電源オフ状態が設定されたものと見なし、ステップＳ７５に進んでアラームフラグの値が「１」なのか否かを判断し、「１」であればステップＳ７６に進んで電源をオン状態にしてステップＳ７３で報音によるアラーム報知を行う。
【００８５】
上記ステップＳ７４で入場フラグの値が「０」でなく「１」であった場合は、特定の施設に入場中であり、入場によって電源がオフ状態に設定されたものと見なし、現在時刻とアラーム設定時刻との一致が検出され且つ電源がオフ状態であったとしても、電源をオン状態にしてアラーム報知するといった処理は行わないでそのまま図７の処理を終了する。
【００８６】
このように、上記の実施形態によれば、特定施設への入場を検出して電源がオフ状態に設定された場合には、アラーム時刻に自動的に電源が投入されてアラーム報知が行われるということがないので、電源オフが義務付けられている特定施設内で不用意に電源が投入されてしまうことを防止出来、又、操作子の操作により電源がオフ状態に設定された場合には、アラーム時刻に自動的に電源が投入されてアラーム報知が行われるので、ユーザが意識することなく状況にあったアラーム報知の設定が出来る。
【００８７】
又、アラーム時刻にアラーム報知するか否かを設定するアラーム報知設定手段を備えており、このアラーム報知設定手段によってアラーム報知しないことが設定されていた場合には、前記制御手段によって前記アラーム報知する機能が有効にされてもアラーム報知は行わないのでユーザの意図にあったアラーム報知にすることが出来る。
【００８８】
更に、特定施設への入場で電源がオフ状態にされてアラーム報知を行わない状態に設定されても、特定施設を退場するときには特定施設への入場以前の状態、即ち、入場以前にアラーム報知する設定がなされていればその状態に自動的に戻るので、特定施設への入退場による電源状態の変更があっても何ら影響を受けることがない。
【００８９】
更に又、特定施設への入場で電源がオフ状態にされた時には、電源をオン状態にするための電源キーの操作は無効となるように構成されているので、特定施設内においては電源をオフ状態を維持するという決まりを遵守することが出来、不用意に電源をオン状態にしてしまうことを防止出来る。
【００９０】
又、特定施設への入退場の検出には、非接触ＩＣデバイス或いはＧＰＳを用いているので小型化が可能であり、簡単な回路で自動的且つ確実に検出することが可能である。
【００９１】
尚、上記実施例では、アラーム報知として報音による報知を行わせるようにしたが、例えばバイブレータ、発光表示体、或いは表示部３でのメッセージなどによる報知であっても良い。
【００９２】
又、特定施設へ入場中の場合はアラーム時刻になってもアラーム報知を行わない代わりに、特定施設からの退場を検出した際に、アラーム報知を行うようにしても良い。
【００９３】
又、特定施設の入場は、非接触ＩＣデバイス或いはＧＰＳを用いて検出するようにしたが、例えば光通信、赤外線通信、ＬＡＮなど他のデバイスによる検出であっても良い。
【００９４】
更に、上記各実施形態では、本発明を携帯電話装置１に適用した例について述べたが、本発明はデジタルカメラ、パーソナルコンピュータ、音楽プレーヤ、ＰＤＡなど、どのような端末装置であっても適用可能である。
【符号の説明】
【００９５】
１  携帯電話装置
２  制御部
３  表示部
４  操作部
５  記憶部
６  通信部
８  電話部
１１  時計部
１２  報知部
１３  非接触ＩＣ検出部
１４  位置取得部
１５  電源部
【図１】
2011035875.tif 000003
【図２】
2011035875.tif 000004
【図３】
2011035875.tif 000005
【図４】
2011035875.tif 000006
【図５】
2011035875.tif 000007
【図６】
2011035875.tif 000008
【図７】
2011035875.tif 000009